【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
管理デバイスと複数の被管理デバイスとを含んだネットワークシステムにおいて、
前記管理デバイスの状態が変化した場合に、前記複数の被管理デバイスの中から少なくとも一つを新規の管理デバイスに変更する第１の変更手段と、
前記管理デバイスの状態が前記変化した状態から変化する前の状態になった場合に、前記第１の変更手段によって変更された新規の管理デバイスを、被管理デバイスに変更する第２の変更手段と
を備えたことを特徴とするネットワークシステム。
【請求項２】
複数の被管理デバイスを管理する管理デバイスとして動作するデバイスであって、
前記複数の被管理デバイスから送られたデータを収集する収集手段と、
前記デバイスの状態を検知する検知手段と、
前記検知手段によって前記デバイスが第１の負荷状態よりも負荷が高い第２の負荷状態であることが検知された場合、前記複数の被管理デバイスの中から少なくとも一つを被管理デバイスから管理デバイスに変更させる第１の変更手段と、
前記検知手段によって前記デバイスが前記第１の負荷状態であることが検知された場合、前記第１の変更手段によって変更された管理デバイスを被管理デバイスに変更させる第２の変更手段と、
を備えたことを特徴とするデバイス。
【請求項３】
管理デバイスによって管理される被管理デバイスとして動作するデバイスであって、
前記管理デバイスから送られた、新規の管理デバイスに変更する指示を受信するのに応じて、新規の管理デバイスとして動作するように変更する第１の変更手段と、
前記第１の変更手段によって新規の管理デバイスに変更された前記デバイスの管理対象となる被管理デバイスを示す情報を前記管理デバイスから受信する受信手段と、
前記受信手段によって受信した情報に基づいて、被管理デバイスからデータを収集する収集手段と、
前記管理デバイスから送られた、被管理デバイスに変更する指示を受信するのに応じて、被管理デバイスとして動作するように変更する第２の変更手段と、
を備えたことを特徴とするデバイス。
【請求項４】
前記デバイスが管理している被管理デバイスの情報を表示する表示手段を有することを特徴とする請求項２に記載のデバイス。
【請求項５】
前記デバイスが管理デバイスに変更させたデバイスの情報を表示する表示手段を有することを特徴とする請求項２に記載のデバイス。
【請求項６】
前記デバイスが接続されたネットワーク上における管理デバイスと被管理デバイスの管理構成を表示する表示手段を有することを特徴とする請求項２に記載のデバイス。
【請求項７】
管理デバイスと複数の被管理デバイス、及びサーバを含んだネットワークシステムにおいて、
前記管理デバイスによって収集された前記被管理デバイスのデータを前記サーバに送信する送信手段と、
前記管理デバイスの状態が変化した場合に、前記サーバが前記複数の被管理デバイスの中から少なくとも一つを新規の管理デバイスに変更する第１の変更手段と、
前記管理デバイスの状態が前記変化した状態から変化する前の状態になった場合に、前記第１の変更手段によって変更された新規の管理デバイスを、被管理デバイスに変更する第２の変更手段と
を備えたことを特徴とするネットワークシステム。
【請求項８】
サーバと複数の他のデバイスとにネットワークを介して接続可能なデバイスであって、
前記複数の他のデバイスから送られたデータを収集する収集手段と、
前記デバイスの状態を検知する検知手段と、
前記検知手段によって前記デバイスが第１の負荷状態よりも負荷が高い第２の負荷状態であることが検知された場合、前記サーバから送られる情報に基づいて、前記複数の他のデバイスの中から少なくとも一つを被管理デバイスから管理デバイスに変更させる第１の変更手段と、
前記検知手段によって前記デバイスが前記第１の負荷状態であることが検知された場合、前記サーバから送られる情報に基づいて、前記第１の変更手段によって変更された管理デバイスを被管理デバイスに変更させる第２の変更手段と、
を備えたことを特徴とするデバイス。
【請求項９】
複数の被管理デバイスを管理する管理デバイスとネットワークを介して接続可能な管理装置であって、
前記管理デバイスが収集した被管理デバイスの情報を当該管理デバイスから受信する受信手段と、
前記管理デバイスが第１の負荷状態よりも負荷が高い第２の負荷状態であることが検知された場合、前記複数の被管理デバイスの中から少なくとも一つを被管理デバイスから管理デバイスに変更させるための情報を該管理デバイスに送信する第１の送信手段と、
前記管理デバイスが前記第１の負荷状態であることが検知された場合、前記変更された管理デバイスを被管理デバイスに変更させるための情報を該管理デバイスに送信する第２の送信手段とを備えたことを特徴とする管理装置。
【請求項１０】
管理装置が接続されたネットワーク上の管理デバイスによって管理される被管理デバイスとして動作するデバイスであって、
前記管理装置から送られた、新規の管理デバイスに変更する指示を受信するのに応じて、新規の管理デバイスとして動作するように変更する変更手段と、
前記変更手段によって新規の管理デバイスに変更された前記デバイスの管理対象となる被管理デバイスを示す情報を前記管理装置から受信する受信手段と、
前記受信手段によって受信した情報に基づいて、被管理デバイスからデータを収集する収集手段と、
前記管理装置から送られた、被管理デバイスに変更する指示を受信するのに応じて、被管理デバイスとして動作するように変更する手段と、
を備えたことを特徴とするデバイス。
【請求項１１】
管理デバイスと複数の被管理デバイスとを含んだネットワークシステムの管理構成変更方法であって、
前記管理デバイスの状態が変化した場合に、前記複数の被管理デバイスの中から少なくとも一つを新規の管理デバイスに変更する変更工程と、
前記管理デバイスの状態が前記変化した状態から変化する前の状態になった場合に、前記変更工程によって変更された新規の管理デバイスを、被管理デバイスに変更する工程と
を備えたことを特徴とするネットワークシステムの管理構成変更方法。
【請求項１２】
複数の被管理デバイスを管理する管理デバイスとして動作するデバイスの制御方法であって、
前記複数の被管理デバイスから送られたデータを収集する収集工程と、
前記デバイスの状態を検知する検知工程と、
前記検知工程によって前記デバイスが第１の負荷状態よりも負荷が高い第２の負荷状態であることが検知された場合、前記複数の被管理デバイスの中から少なくとも一つを被管理デバイスから管理デバイスに変更させる変更工程と、
前記検知工程によって前記デバイスが前記第１の負荷状態であることが検知された場合、前記変更工程によって変更された管理デバイスを被管理デバイスに変更させる工程と、
を備えたことを特徴とするデバイスの制御方法。
【請求項１３】
管理デバイスによって管理される被管理デバイスとして動作するデバイスの制御方法であって、
前記管理デバイスから送られた、新規の管理デバイスに変更する指示を受信するのに応じて、新規の管理デバイスとして動作するように変更する変更工程と、
前記変更工程によって新規の管理デバイスに変更された前記デバイスの管理対象となる被管理デバイスを示す情報を前記管理デバイスから受信する受信工程と、
前記受信工程によって受信した情報に基づいて、被管理デバイスからデータを収集する収集工程と、
前記管理デバイスから送られた、被管理デバイスに変更する指示を受信するのに応じて、被管理デバイスとして動作するように変更する工程と、
を備えたことを特徴とするデバイスの制御方法。
【請求項１４】
管理デバイスと複数の被管理デバイスとを含んだネットワークシステムの管理構成変更方法であって、
前記管理デバイスの状態が変化した場合に、前記サーバ装置が前記複数の被管理デバイスの中から少なくとも一つを新規の管理デバイスに変更させる変更工程と、
前記管理デバイスの状態が前記変化した状態から変化する前の状態になった場合に、前記サーバ装置が前記変更工程によって変更された新規の管理デバイスを、被管理デバイスに変更させる工程と
を備えたことを特徴とするネットワークシステムの管理構成変更方法。
【請求項１５】
サーバ装置と複数の被管理デバイスとにネットワークを介して接続されたデバイスの制御方法であって、
前記複数の被管理デバイスから送られたデータを収集する収集工程と、
前記デバイスの状態を検知する検知工程と、
前記検知工程によって前記デバイスの負荷が高いことが検知された場合、前記サーバ装置から送られる情報に基づいて、前記複数の被管理デバイスの中から少なくとも一つを被管理デバイスから管理デバイスに変更させる変更工程と、
前記検知工程によって前記デバイスの負荷が低いことが検知された場合、前記サーバ装置から送られる情報に基づいて、前記変更工程によって変更された管理デバイスを被管理デバイスに変更させる工程と、
を備えたことを特徴とするデバイスの制御方法。
【請求項１６】
複数の被管理デバイスを管理する管理デバイスとネットワークを介して接続可能な管理装置の制御方法であって、
前記管理デバイスが収集した被管理デバイスの情報を当該管理デバイスから受信する受信工程と、
前記管理デバイスが第１の負荷状態よりも負荷が高い第２の負荷状態であることが検知された場合、前記複数の被管理デバイスの中から少なくとも一つを被管理デバイスから管理デバイスに変更させるための情報を該管理デバイスに送信する工程と、
前記管理デバイスが前記第１の負荷状態であることが検知された場合、前記変更された管理デバイスを被管理デバイスに変更させるための情報を該管理デバイスに送信する工程とを備えたことを特徴とする管理装置の制御方法。
【請求項１７】
管理装置が接続されたネットワーク上の管理デバイスによって管理される被管理デバイスとして動作するデバイスの制御方法であって、
前記管理装置から送られた、新規の管理デバイスに変更する指示を受信するのに応じて、新規の管理デバイスとして動作するように変更する変更工程と、
前記変更工程によって新規の管理デバイスに変更された前記デバイスの管理対象となる被管理デバイスを示す情報を前記管理装置から受信する受信工程と、
前記受信工程によって受信した情報に基づいて、被管理デバイスからデータを収集する収集工程と、
前記管理装置から送られた、被管理デバイスに変更する指示を受信するのに応じて、被管理デバイスとして動作するように変更する工程と、
を備えたことを特徴とするデバイスの制御方法。
【請求項１８】
管理デバイスと複数の被管理デバイスとを含んだネットワークシステムの管理構成変更方法を実行するための、コンピュータで読み取りと可能なプログラムであって、
第１の変更手段が、前記管理デバイスの状態が変化した場合に前記複数の被管理デバイスの中から少なくとも一つを新規の管理デバイスに変更する変更ステップと、
第２の変更手段が、前記管理デバイスの状態が前記変化した状態から変化する前の状態になった場合に、前記変更ステップによって変更された新規の管理デバイスを、被管理デバイスに変更するステップと
を備えたことを特徴とするプログラム。
【請求項１９】
複数の被管理デバイスとネットワークを介して接続可能なデバイスの制御方法を実行するための、コンピュータで読み取りと可能なプログラムであって、
収集手段が、前記複数の被管理デバイスから送られたデータを収集する収集ステップと、
検知手段が、前記デバイスの状態を検知する検知ステップと、
第１の変更手段が、前記検知ステップによって前記デバイスが第１の負荷状態よりも負荷が高い第２の負荷状態であることが検知された場合、前記複数の被管理デバイスの中から少なくとも一つを被管理デバイスから管理デバイスに変更させる変更ステップと、
第２の変更手段が、前記検知ステップによって前記デバイスが前記第１の負荷状態であることが検知された場合、前記変更ステップによって変更された管理デバイスを被管理デバイスに変更させるステップと、
を備えたことを特徴とするプログラム。
【請求項２０】
管理デバイスによって管理される被管理デバイスとして動作するデバイスの制御方法を実行するための、コンピュータで読み取りと可能なプログラムであって、
第１の変更手段が、前記管理デバイスから送られた、新規の管理デバイスに変更する指示を受信するのに応じて、新規の管理デバイスとして動作するように変更する変更ステップと、
受信手段が、前記変更ステップによって新規の管理デバイスに変更された前記デバイスの管理対象となる被管理デバイスを示す情報を前記管理デバイスから受信する受信ステップと、
収集手段が、前記受信ステップによって受信した情報に基づいて、被管理デバイスからデータを収集する収集ステップと、
第２の変更手段が、前記管理デバイスから送られた、被管理デバイスに変更する指示を受信するのに応じて、被管理デバイスとして動作するように変更するステップと、
を備えたことを特徴とするプログラム。
【請求項２１】
サーバ装置と複数の被管理デバイスとにネットワークを介して接続可能なデバイスの制御方法を実行するための、コンピュータで読み取りと可能なプログラムであって、
収集手段が、前記複数の被管理デバイスから送られたデータを収集する収集ステップと、
検知手段が、前記デバイスの状態を検知する検知ステップと、
第１の変更手段が、前記検知ステップによって前記デバイスの負荷が高いことが検知された場合に前記サーバ装置から送られる情報に基づいて前記複数の被管理デバイスの中から少なくとも一つを被管理デバイスから管理デバイスに変更させる変更ステップと、
第２の変更手段が、前記検知ステップによって前記デバイスの負荷が低いことが検知された場合に前記サーバ装置から送られる情報に基づいて前記変更ステップによって変更された管理デバイスを被管理デバイスに変更させるステップと、
を備えたことを特徴とするプログラム。
【請求項２２】
複数の被管理デバイスを管理する管理デバイスとネットワークを介して接続可能な管理装置の制御方法を実行するための、コンピュータで読み取りと可能なプログラムであって、
受信手段が、前記管理デバイスが収集した被管理デバイスの情報を当該管理デバイスから受信する受信ステップと、
第１の送信手段が、前記管理デバイスの負荷が高いことが検知された場合、前記複数の被管理デバイスの中から少なくとも一つを被管理デバイスから管理デバイスに変更させるための情報を該管理デバイスに送信するステップと、
第２の送信手段が、前記管理デバイスの負荷が低いことが検知された場合、前記変更された管理デバイスを被管理デバイスに変更させるための情報を該管理デバイスに送信するステップとを備えたことを特徴とするプログラム。
【請求項２３】
管理装置が接続されたネットワーク上の管理デバイスによって管理される被管理デバイスとして動作するデバイスの制御方法を実行するための、コンピュータで読み取りと可能なプログラムであって、
第１の変更手段が、前記管理装置から送られた、新規の管理デバイスに変更する指示を受信するのに応じて、新規の管理デバイスとして動作するように変更する変更ステップと、
受信手段が、前記変更ステップによって新規の管理デバイスに変更された前記デバイスの管理対象となる被管理デバイスを示す情報を前記管理装置から受信する受信ステップと、
収集手段が、前記受信ステップによって受信した情報に基づいて、被管理デバイスからデータを収集する収集ステップと、
第２の変更手段が、前記管理装置から送られた、被管理デバイスに変更する指示を受信するのに応じて、被管理デバイスとして動作するように変更するステップと、
を備えたことを特徴とするプログラム。
【手続補正２】
【補正対象書類名】明細書
【補正対象項目名】発明の名称
【補正方法】変更
【補正の内容】
【発明の名称】ネットワークシステム及びその管理構成変更方法、デバイス及びその制御方法、並びにプログラム
【手続補正３】
【補正対象書類名】明細書
【補正対象項目名】０００１
【補正方法】変更
【補正の内容】
【０００１】
本発明は、ネットワークシステム及びその管理構成変更方法、前記ネットワークシステムに含まれるデバイス及びその制御方法、並びに前記管理構成変更方法及び制御方法を実現するためのプログラムに関する。
【手続補正４】
【補正対象書類名】明細書
【補正対象項目名】０００８
【補正方法】変更
【補正の内容】
【０００８】
本発明は上記従来の問題点に鑑み、次のような、ネットワークシステム及びその管理構成変更方法、デバイス及びその制御方法、並びにプログラムを提供することを目的とする。
【手続補正５】
【補正対象書類名】明細書
【補正対象項目名】０００９
【補正方法】変更
【補正の内容】
【０００９】
即ち、複数のデバイス装置が接続されたネットワークにおいて、管理デバイスの状態が変化したことにより管理デバイスと被管理デバイスとの管理構成を変更し、管理デバイスの状態が元に戻ったときには元の管理構成に自動的に戻すことができるようにする。
【手続補正６】
【補正対象書類名】明細書
【補正対象項目名】００１０
【補正方法】変更
【補正の内容】
【００１０】
上記目的を達成するために、本発明は、管理デバイスと複数の被管理デバイスとを含んだネットワークシステムにおいて、前記管理デバイスの状態が変化した場合に、前記被管理デバイスの中から少なくとも一つを新規の管理デバイスに変更する第１の変更手段と、前記管理デバイスの状態が前記変化した状態から変化する前の状態になった場合に、前記第１の変更手段によって変更された新規の管理デバイスを、被管理デバイスに変更する第２の変更手段とを備えたことを特徴とする。
【手続補正７】
【補正対象書類名】明細書
【補正対象項目名】００１１
【補正方法】変更
【補正の内容】
【００１１】
また、本発明は、複数の被管理デバイスとネットワークを介して接続可能なデバイスであって、前記複数の被管理デバイスから送られたデータを収集する収集手段と、前記デバイスの状態を検知する検知手段と、前記検知手段によって前記デバイスの負荷が高いことが検知された場合、前記複数の被管理デバイスの中から少なくとも一つを被管理デバイスから管理デバイスに変更させる第１の変更手段と、前記検知手段によって前記デバイスの負荷が低いことが検知された場合、前記第１の変更手段によって変更された管理デバイスを被管理デバイスに変更させる第２の変更手段と、を備えたことを特徴とする。
【手続補正８】
【補正対象書類名】明細書
【補正対象項目名】００１２
【補正方法】変更
【補正の内容】
【００１２】
また、本発明は、管理デバイスによって管理される被管理デバイスとして動作するデバイスであって、前記管理デバイスから送られた、新規の管理デバイスに変更する指示を受信するのに応じて、新規の管理デバイスとして動作するように変更する第１の変更手段と、前記第１の変更手段によって新規の管理デバイスに変更された前記デバイスの管理対象となる被管理デバイスを示す情報を前記管理デバイスから受信する受信手段と、前記受信手段によって受信した情報に基づいて、被管理デバイスからデータを収集する収集手段と、前記管理デバイスから送られた、被管理デバイスに変更する指示を受信するのに応じて、被管理デバイスとして動作するように変更する第２の変更手段と、を備えたことを特徴とする。
【手続補正９】
【補正対象書類名】明細書
【補正対象項目名】００１３
【補正方法】変更
【補正の内容】
【００１３】
また、本発明は、管理デバイスと複数の被管理デバイス、及びサーバを含んだネットワークシステムにおいて、前記管理デバイスによって収集された前記被管理デバイスのデータを前記サーバに送信する送信手段と、前記管理デバイスの状態が変化した場合に、前記サーバが前記複数の被管理デバイスの中から少なくとも一つを新規の管理デバイスに変更する第１の変更手段と、前記管理デバイスの状態が前記変化した状態から元に戻った場合に、前記第１の変更手段によって変更された新規の管理デバイスを、被管理デバイスに変更する第２の変更手段とを備えたことを特徴とする。
【手続補正１０】
【補正対象書類名】明細書
【補正対象項目名】００１４
【補正方法】変更
【補正の内容】
【００１４】
また、本発明は、サーバと複数の被管理デバイスとにネットワークを介して接続可能なデバイスであって、前記複数の被管理デバイスから送られたデータを収集する収集手段と、前記デバイスの状態を検知する検知手段と、前記検知手段によって前記デバイスの負荷が高いことが検知された場合、前記サーバから送られる情報に基づいて、前記複数の被管理デバイスの中から少なくとも一つを被管理デバイスから管理デバイスに変更させる第１の変更手段と、前記検知手段によって前記デバイスの負荷が低いことが検知された場合、前記サーバから送られる情報に基づいて、前記第１の変更手段によって変更された管理デバイスを被管理デバイスに変更させる第２の変更手段と、を備えたことを特徴とする。
【手続補正１１】
【補正対象書類名】明細書
【補正対象項目名】００１５
【補正方法】変更
【補正の内容】
【００１５】
また、本発明は、複数の被管理デバイスを管理する管理デバイスとネットワークを介して接続可能な管理装置であって、前記管理デバイスが収集した被管理デバイスの情報を当該管理デバイスから受信する受信手段と、前記管理デバイスの負荷が高いことが検知された場合、前記複数の被管理デバイスの中から少なくとも一つを被管理デバイスから管理デバイスに変更させるための情報を該管理デバイスに送信する第１の送信手段と、前記管理デバイスの負荷が低いことが検知された場合、前記変更された管理デバイスを被管理デバイスに変更させるための情報を該管理デバイスに送信する第２の送信手段とを備えたことを特徴とする。
【手続補正１２】
【補正対象書類名】明細書
【補正対象項目名】００１６
【補正方法】変更
【補正の内容】
【００１６】
また、本発明は、管理装置が接続されたネットワーク上の管理デバイスによって管理される被管理デバイスとして動作するデバイスであって、前記管理装置から送られた、新規の管理デバイスに変更する指示を受信するのに応じて、新規の管理デバイスとして動作するように変更する変更手段と、前記変更手段によって新規の管理デバイスに変更された前記デバイスの管理対象となる被管理デバイスを示す情報を前記管理装置から受信する受信手段と、前記受信手段によって受信した情報に基づいて、被管理デバイスからデータを収集する収集手段と、前記管理装置から送られた、被管理デバイスに変更する指示を受信するのに応じて、被管理デバイスとして動作するように変更する手段と、を備えたことを特徴とする。
【手続補正１３】
【補正対象書類名】明細書
【補正対象項目名】００１７
【補正方法】変更
【補正の内容】
【００１７】
また、本発明は、管理デバイスと複数の被管理デバイスとを含んだネットワークシステムの管理構成変更方法であって、前記管理デバイスの状態が変化した場合に、前記複数の被管理デバイスの中から少なくとも一つを新規の管理デバイスに変更する変更工程と、前記管理デバイスの状態が前記変化した状態から変化する前の状態になった場合に、前記変更工程によって変更された新規の管理デバイスを、被管理デバイスに変更する工程とを備えたことを特徴とする。
【手続補正１４】
【補正対象書類名】明細書
【補正対象項目名】００１８
【補正方法】変更
【補正の内容】
【００１８】
また、本発明は、複数の被管理デバイスとネットワークを介して接続可能なデバイスの制御方法であって、前記複数の被管理デバイスから送られたデータを収集する収集工程と、前記デバイスの状態を検知する検知工程と、前記検知工程によって前記デバイスの負荷が高いことが検知された場合、前記複数の被管理デバイスの中から少なくとも一つを被管理デバイスから管理デバイスに変更させる変更工程と、前記検知工程によって前記デバイスの負荷が低いことが検知された場合、前記変更工程によって変更された管理デバイスを被管理デバイスに変更させる工程と、を備えたことを特徴とする。
【手続補正１５】
【補正対象書類名】明細書
【補正対象項目名】００１９
【補正方法】変更
【補正の内容】
【００１９】
また、本発明は、管理デバイスによって管理される被管理デバイスとして動作するデバイスの制御方法であって、前記管理デバイスから送られた、新規の管理デバイスに変更する指示を受信するのに応じて、新規の管理デバイスとして動作するように変更する変更工程と、前記変更工程によって新規の管理デバイスに変更された前記デバイスの管理対象となる被管理デバイスを示す情報を前記管理デバイスから受信する受信工程と、前記受信工程によって受信した情報に基づいて、被管理デバイスからデータを収集する収集工程と、前記管理デバイスから送られた、被管理デバイスに変更する指示を受信するのに応じて、被管理デバイスとして動作するように変更する工程と、を備えたことを特徴とする。
【手続補正１６】
【補正対象書類名】明細書
【補正対象項目名】００２０
【補正方法】変更
【補正の内容】
【００２０】
また、本発明は、管理デバイスと複数の被管理デバイスとを含んだネットワークシステムの管理構成変更方法であって、前記管理デバイスの状態が変化した場合に、前記サーバ装置が前記複数の被管理デバイスの中から少なくとも一つを新規の管理デバイスに変更させる変更工程と、前記管理デバイスの状態が前記変化した状態から変化する前の状態になった場合に、前記サーバ装置が前記変更工程によって変更された新規の管理デバイスを、被管理デバイスに変更させる工程とを備えたことを特徴とする。
【手続補正１７】
【補正対象書類名】明細書
【補正対象項目名】００２１
【補正方法】変更
【補正の内容】
【００２１】
また、本発明は、サーバ装置と複数の被管理デバイスとにネットワークを介して接続されたデバイスの制御方法であって、前記複数の被管理デバイスから送られたデータを収集する収集工程と、前記デバイスの状態を検知する検知工程と、前記検知工程によって前記デバイスの負荷が高いことが検知された場合、前記サーバ装置から送られる情報に基づいて、前記複数の被管理デバイスの中から少なくとも一つを被管理デバイスから管理デバイスに変更させる変更工程と、前記検知工程によって前記デバイスの負荷が低いことが検知された場合、前記サーバ装置から送られる情報に基づいて、前記変更工程によって変更された管理デバイスを被管理デバイスに変更させる工程と、を備えたことを特徴とする。
【手続補正１８】
【補正対象書類名】明細書
【補正対象項目名】００２２
【補正方法】変更
【補正の内容】
【００２２】
また、本発明は、複数の被管理デバイスを管理する管理デバイスとネットワークを介して接続可能な管理装置の制御方法であって、前記管理デバイスが収集した被管理デバイスの情報を当該管理デバイスから受信する受信工程と、前記管理デバイスの負荷が高いことが検知された場合、前記複数の被管理デバイスの中から少なくとも一つを被管理デバイスから管理デバイスに変更させるための情報を該管理デバイスに送信する工程と、前記管理デバイスの負荷が低いことが検知された場合、前記変更された管理デバイスを被管理デバイスに変更させるための情報を該管理デバイスに送信する工程とを備えたことを特徴とする。
【手続補正１９】
【補正対象書類名】明細書
【補正対象項目名】００２３
【補正方法】変更
【補正の内容】
【００２３】
また、本発明は、管理装置が接続されたネットワーク上の管理デバイスによって管理される被管理デバイスとして動作するデバイスの制御方法であって、前記管理装置から送られた、新規の管理デバイスに変更する指示を受信するのに応じて、新規の管理デバイスとして動作するように変更する変更工程と、前記変更工程によって新規の管理デバイスに変更された前記デバイスの管理対象となる被管理デバイスを示す情報を前記管理装置から受信する受信工程と、前記受信工程によって受信した情報に基づいて、被管理デバイスからデータを収集する収集工程と、前記管理装置から送られた、被管理デバイスに変更する指示を受信するのに応じて、被管理デバイスとして動作するように変更する工程と、を備えたことを特徴とする。
【手続補正２０】
【補正対象書類名】明細書
【補正対象項目名】００２４
【補正方法】変更
【補正の内容】
【００２４】
また、本発明は、管理デバイスと複数の被管理デバイスとを含んだネットワークシステムの管理構成変更方法を実行するための、コンピュータで読み取りと可能なプログラムであって、第１の変更手段が、前記管理デバイスの状態が変化した場合に前記被管理デバイスの中から少なくとも一つを新規の管理デバイスに変更する変更ステップと、第２の変更手段が、前記管理デバイスの状態が前記変化した状態から変化する前の状態になった場合に、前記変更ステップによって変更された新規の管理デバイスを、被管理デバイスに変更するステップとを備えたことを特徴とする。
【手続補正２１】
【補正対象書類名】明細書
【補正対象項目名】００２５
【補正方法】変更
【補正の内容】
【００２５】
また、本発明は、複数の被管理デバイスとネットワークを介して接続可能なデバイスの制御方法を実行するための、コンピュータで読み取りと可能なプログラムであって、収集手段が、前記複数の被管理デバイスから送られたデータを収集する収集ステップと、検知手段が、前記デバイスの状態を検知する検知ステップと、第１の変更手段が、前記検知ステップによって前記デバイスの負荷が高いことが検知された場合、前記複数の被管理デバイスの中から少なくとも一つを被管理デバイスから管理デバイスに変更させる変更ステップと、第２の変更手段が、前記検知ステップによって前記デバイスの負荷が低いことが検知された場合、前記変更ステップによって変更された管理デバイスを被管理デバイスに変更させるステップと、を備えたことを特徴とする。
【手続補正２２】
【補正対象書類名】明細書
【補正対象項目名】００２６
【補正方法】変更
【補正の内容】
【００２６】
また、本発明は、管理デバイスによって管理される被管理デバイスとして動作するデバイスの制御方法を実行するための、コンピュータで読み取りと可能なプログラムであって、第１の変更手段が、前記管理デバイスから送られた、新規の管理デバイスに変更する指示を受信するのに応じて、新規の管理デバイスとして動作するように変更する変更ステップと、受信手段が、前記変更ステップによって新規の管理デバイスに変更された前記デバイスの管理対象となる被管理デバイスを示す情報を前記管理デバイスから受信する受信ステップと、収集手段が、前記受信ステップによって受信した情報に基づいて、被管理デバイスからデータを収集する収集ステップと、第２の変更手段が、前記管理デバイスから送られた、被管理デバイスに変更する指示を受信するのに応じて、被管理デバイスとして動作するように変更するステップと、を備えたことを特徴とする。
【手続補正２３】
【補正対象書類名】明細書
【補正対象項目名】００２７
【補正方法】変更
【補正の内容】
【００２７】
また、本発明は、サーバ装置と複数の被管理デバイスとにネットワークを介して接続可能なデバイスの制御方法を実行するための、コンピュータで読み取りと可能なプログラムであって、収集手段が、前記複数の被管理デバイスから送られたデータを収集する収集ステップと、検知手段が、前記デバイスの状態を検知する検知ステップと、第１の変更手段が、前記検知ステップによって前記デバイスの負荷が高いことが検知された場合に前記サーバ装置から送られる情報に基づいて前記複数の被管理デバイスの中から少なくとも一つを被管理デバイスから管理デバイスに変更させる変更ステップと、第２の変更手段が、前記検知ステップによって前記デバイスの負荷が低いことが検知された場合に前記サーバ装置から送られる情報に基づいて前記変更ステップによって変更された管理デバイスを被管理デバイスに変更させるステップと、を備えたことを特徴とする。
【手続補正２４】
【補正対象書類名】明細書
【補正対象項目名】００２８
【補正方法】変更
【補正の内容】
【００２８】
また、本発明は、複数の被管理デバイスを管理する管理デバイスとネットワークを介して接続可能な管理装置の制御方法を実行するための、コンピュータで読み取りと可能なプログラムであって、受信手段が、前記管理デバイスが収集した被管理デバイスの情報を当該管理デバイスから受信する受信ステップと、第１の送信手段が、前記管理デバイスの負荷が高いことが検知された場合、前記複数の被管理デバイスの中から少なくとも一つを被管理デバイスから管理デバイスに変更させるための情報を該管理デバイスに送信するステップと、第２の送信手段が、前記管理デバイスの負荷が低いことが検知された場合、前記変更された管理デバイスを被管理デバイスに変更させるための情報を該管理デバイスに送信するステップとを備えたことを特徴とする。
【手続補正２５】
【補正対象書類名】明細書
【補正対象項目名】００２９
【補正方法】変更
【補正の内容】
【００２９】
また、本発明は、管理装置が接続されたネットワーク上の管理デバイスによって管理される被管理デバイスとして動作するデバイスの制御方法を実行するための、コンピュータで読み取りと可能なプログラムであって、第１の変更手段が、前記管理装置から送られた、新規の管理デバイスに変更する指示を受信するのに応じて、新規の管理デバイスとして動作するように変更する変更ステップと、受信手段が、前記変更ステップによって新規の管理デバイスに変更された前記デバイスの管理対象となる被管理デバイスを示す情報を前記管理装置から受信する受信ステップと、収集手段が、前記受信ステップによって受信した情報に基づいて、被管理デバイスからデータを収集する収集ステップと、第２の変更手段が、前記管理装置から送られた、被管理デバイスに変更する指示を受信するのに応じて、被管理デバイスとして動作するように変更するステップと、を備えたことを特徴とする。